(57)【要約】【課題】電動機を用いて、人力による負担がない状態で、肌の洗浄を実現でき、しかも、その構造に工夫を凝らして、肌の表面に摩擦傷が発生する畏れがないようにした入浴用洗浄機具を提供する。【解決手段】本発明の入浴用洗浄機具は、内部に回転駆動部を装備すると共に把持部を備えた洗浄機具本体と、該洗浄機具本体に装備された正逆回転駆動変換手段と、該正逆回転駆動変換手段を介して前記回転駆動部に着脱可能に連携される駆動軸および先端にパフやスポンジを装着した洗浄部を備えていて、前記洗浄部を前記駆動軸で駆動する構成である治具とを具備しており、該治具を前記洗浄機具本体に着脱可能に装着する構造としたことを特徴とする。【選択図】図１
2005118168.tif 000002
【特許請求の範囲】
【請求項１】
内部に回転駆動部を装備すると共に把持部を備えた洗浄機具本体と、
該洗浄機具本体に装備された正逆回転駆動変換手段と、
該正逆回転駆動変換手段を介して前記回転駆動部に着脱可能に連携される駆動軸および先端にパフやスポンジを装着した洗浄部を備えていて、前記洗浄部を前記駆動軸で駆動する構成である治具とを具備しており、
該治具を前記洗浄機具本体に着脱可能に装着する構造としたことを特徴とする入浴用洗浄機具。
【請求項２】
前記正逆回転駆動変換手段には、駆動力を間欠的に前記駆動軸に伝達する間欠駆動部が装備されていることを特徴とする、請求項１に記載の入浴用洗浄機具。
【請求項３】
前記正逆回転駆動部には、回転方向の切換側に向けて弾性力が蓄勢される弾性手段が装備されていることを特徴とする、請求項１または２に記載の入浴用洗浄機具。
【請求項４】
前記正逆回転駆動部には、前記駆動軸に正逆回転駆動を伝達する部位に、回転方向への慣性質量を保有する弾み車が組み込まれていることを特徴とする、請求項１ないし３の何れか１項に記載の入浴用洗浄機具。
【請求項５】
前記洗浄機具本体は、実質的にＬ字形に曲がった筒状であって、基端側に前記把持部が形成されていることを特徴とする、請求項１ないし４の何れか１項に記載の入浴用洗浄機具。
【発明の詳細な説明】
【技術分野】
【０００１】
本発明は、電動機を動力源とする回転駆動部を内装し、洗浄機具本体の把持部を持って、入浴に際し、前記洗浄機具本体の先端に備えた洗浄部で、背中などの皮膚表面を擦り、洗浄する入浴用洗浄機具に関するものである。
【背景技術】
【０００２】
機械工具には、着脱可能な先端治具を交換して、電動機で回転させるドリルが代表的なものとして知られている。このドリルは、孔開け加工を目的としたもので、カプラーに自在性があり、径の異なるドリル用加工具が着脱自在になっている。このドリルのカプラーの自在性に着目して、カプラーに回転パフを取り付け、金属板材などの表面処理を行うことも、既に多用されている。
【０００３】
また、一般家庭への自動車の普及で、家庭用車体洗浄処理を行なう道具が、所謂、ポリシャと称して、市販されている。このポリシャは、道具本体の先端に設けた回転部に、スポンジ、パフ、モップなどを装着して、これらに塗布した洗剤で、自動車のボディの表面洗滌処理を行なうものである。しかしながら、このポリシャは、その回転部が正・逆いずれか一方向の連続回転となるため、洗滌した後、自動車のボディ表面に、微細な痕跡が残る畏れがある。
【０００４】
これが、俗に言う「パフ目」であるが、このようなポリシャの構造を、入浴用洗浄機具に採用した場合、仮に、至極、柔らかいパフを採用したとしても、人体の肌に一種の摩擦傷（かすり傷）を与える結果となる。そこで、この欠点を解消するための技術として、摩擦傷を避けるために、入浴用に適した洗剤やポリシャの技術開発が要望されている。
【０００５】
例えば、粒子、大きさ、形状、材質などを考慮して、パフとの接触に際して摩擦抵抗が低いように、洗剤を調合することが行われている。しかしながら、このような洗剤を用いても、パフを装着した洗浄部が、自動車の車体表面での洗滌の場合と同様に、一方向の回転である限り、摩擦傷の完全な解消には至らない。
【０００６】
そこで、既に、入浴用洗浄機具として、肌の触れる洗浄部に、パフに代わるスポンジを採用し、この洗浄部の駆動機構を振動式にして、スポンジを不規則に動かすことで、洗浄時、肌の表面に摩擦傷を発生させない工夫をしたものが提案された。しかしながら、この方法にも大きな欠点がある。それは、スポンジを振動式にすると、肌の表面に対する接触圧が変動して、洗浄能力が低下し、また、洗浄に均一性が保持しがたく、粗密の差が生ずることである。
【０００７】
また、特異な例として、回転式の洗浄部を備える入浴用洗浄機具において、その洗浄部を、内周駆動部と外周駆動部とに分割し、それぞれ、逆方向に回転させる構造が提案された。しかし、このような改良を行っても、結局、外側の洗浄部と内側の洗浄部とが左・右の方向に、それぞれ、連続的に回転するため、スポンジやパフが接触した肌については、前述のような摩擦傷を回避できるまでには、未だ至っていない。
【特許文献１】特開平１０−２３５５４４号公報
【特許文献２】特開平８−２５２７５７号公報
【発明の開示】
【発明が解決しようとする課題】
【０００８】
そこで、本発明は、電動機を用いて、人力による負担がない状態で、肌の洗浄を実現でき、しかも、その構造に工夫を凝らして、肌の表面に摩擦傷が発生する畏れがないようにした入浴用洗浄機具を提供することを目的としている。
ここで、この目的を達成するための技術的指向と着眼点について述べる。まず、人体の肌表面に摩擦傷の跡が残らないようにするためには、同一方向に肌を擦ることを避ける必要がある。これは、皮膚組織の表面剥離を回避するという、所謂、パフ目の発生を回避する意味を持つ。そこで、本発明では、パフやスポンジを装着する洗浄部の往復回転運動を提案する。洗浄部を往復回転運動にすると、これにより、肌への摩擦接触が原因で皮膚組織を長く一方向に引きずることがなくなり、適当な接触圧を与えても、肌に対して安全に洗浄効果を発揮できるのである。
【０００９】
また、この方式のメリットは、洗浄部が往復回転運動を行なうことにより、洗浄部での洗剤の保持を持続できる点である。また、他のメリットは、簡単な構成を組み込むことにより、往復回転の過程で、間欠的に動作停止をさせることができ、これにより、人手による洗浄と同じような心地よい感触で、洗浄を実現できることである。更に、往復回転運動の場合に、回転方向の切換端で発生する振動で、操作者（本人または介護者）に手振れが生じるのを緩和する手段を講じることで、洗浄機具の操作性を向上させることができるメリットもある。
【課題を解決するための手段】
【００１０】
上記目的を達成するために、本発明の請求項１に示す入浴用洗浄機具は、内部に回転駆動部を装備すると共に把持部を備えた洗浄機具本体と、該洗浄機具本体に装備された正逆回転駆動変換手段と、該正逆回転駆動変換手段を介して前記回転駆動部に着脱可能に連携される駆動軸および先端にパフやスポンジを装着した洗浄部を備えていて、前記洗浄部を前記駆動軸で駆動する構成である治具とを具備しており、該治具を前記洗浄機具本体に着脱可能に装着する構造としたことを特徴とする。
【００１１】
また、本発明の請求項２に示す入浴用洗浄機具は、その正逆回転駆動変換手段に、駆動力を間欠的に前記駆動軸に伝達する間欠駆動部が装備されていることを特徴とする。
【００１２】
更に、本発明の請求項３に示す入浴用洗浄機具は、その正逆回転駆動部に、回転方向の切換側に向けて弾性力が蓄勢される弾性手段が装備されていることを特徴とする。
【００１３】
また、本発明の請求項４に示す入浴用洗浄機具は、その正逆回転駆動部に、前記駆動軸に正逆回転駆動を伝達する部位に、回転方向への慣性質量を保有する弾み車が組み込まれていることを特徴とする。
【００１４】
更に、本発明の請求項３に示す入浴用洗浄機具では、前記洗浄機具本体が、実質的にＬ字形に曲がった筒状であって、基端側に前記把持部が形成されていることを特徴とする。これは、操作者本人が自ら背中などを洗浄する上で、有効である。
【発明の効果】
【００１５】
このような構成では、電動機を用いて、人力による負担がない状態で、肌の表面に摩擦傷が発生する畏れがなく、肌の洗浄を安全に実現できる。しかも、洗浄部が往復回転運動を行なうことにより、洗浄部での洗剤の保持を持続できる。また、簡単な構成を組み込むことにより、往復回転の過程で、間欠的に動作停止をさせることができ、これにより、人手による洗浄と同じような心地よい感触で、洗浄を実現できる。更に、往復回転運動の場合に、回転方向の切換端で発生する振動で、操作者（本人または介護者）に手振れが生じるのを緩和する手段が講じられるので、洗浄機具の操作性を向上させることができる。
【発明を実施するための最良の形態】
【００１６】
以下、本発明に係る入浴用洗浄機具の実施の形態について、図面を参照しながら、具体的に説明する。本発明の基本的な構成は、図１に概略的に示されている。ここでは、内部に電動機を含む回転駆動部１ａを装備すると共に把持部１ｂを備えた洗浄機具本体１と、洗浄機具本体１に装備された正逆回転駆動変換手段２と、正逆回転駆動変換手段２を介して回転駆動部１ａに着脱可能に連携される駆動軸３ａおよび先端にパフやスポンジを装着した洗浄部３ｂを備えていて、洗浄部３ｂを駆動軸３ａで駆動する洗浄用の治具３とが装備されている。そして、この治具３は、その筐体３ｃを洗浄機具本体１に着脱可能に装着される構造となっている。なお、図中、符号４は回転駆動部１ａへの電力供給のためのスイッチであり、この実施の形態では、把持部１ｂの内部に、電力源となるバッテリー５が装備されている。
【実施例１】
【００１７】
本発明の入浴洗浄機具は、その正逆回転変換手段２に、図２で示すような構成のクランク機構を採用している。ここでは、回転駆動部１ａの出力軸１１にクランクアーム２１が取り付けてあり、このクランクアーム２１の先端に設けたクランクピン２２が板状の揺動桿２３に設けた摺動スリット２４内に貫挿されている。そして、上述の揺動桿２３の一端が、駆動軸３ａと着脱可能に連結されるカップラー６（洗浄機具本体１に軸支される）の軸に接続される。
【００１８】
このような構成では、出力軸１１の１回転で、揺動桿２３が、例えば、角度：１０度から６０度の範囲で、１往復分、揺動され、カップラー６が１回、往復回動される。その結果、洗浄部３ｂが往復か移動されることになる。
【実施例２】
【００１９】
また、本発明の入浴用洗浄機具は、その正逆回転駆動変換手段２に、図３に示すような駆動力を間欠的に駆動軸３ａに伝達する間欠駆動部が、前述のクランク機構に組み込まれる形で、装備されている。即ち、ここでは、出力軸１１に取り付けられる、前述のクランクアーム、クランクピンが、コーナ部分に円弧を形成した、三角むすび形のカム片２１ａに変更されており、また、前述の板状の揺動桿２３には、摺動スリット２４に代えて、カム片２１ａを回転自在にガイドする長方形のカム溝２４ａが形成されている。なお、カム片２１ａは出力軸に対して、偏心している。
【００２０】
このような構成では、コーナ部分が摺動スリット２４の内側面に接触している過程では、揺動桿２３の揺動動作（揺動角速度）が大幅に低減され、実質的にカップラー６を間欠駆動することになる。この実施例でも、出力軸１１の１回転で、カップラー６の軸は１往復回動することになる。
【実施例３】
【００２１】
更に、本発明に係る入浴用洗浄機具は、その正逆回転駆動部２に、図４に示すような、回転方向の切換側に向けて弾性力が蓄勢される弾性手段７を備え、また、出力軸１１に係る負荷のバランスのために、クランクアーム２１に慣性質量（重り）２５を備えている。即ち、ここでは、クランクアーム２１がコネクチングロッド２６を介して揺動桿２３に連結され、また、揺動桿２３の両側には、揺動桿２３の揺動中立位置の左右で、揺動される方向（あるいは反対方向）に弾性力を蓄勢する圧縮（あるいは引張）コイルばねが装備される。
【００２２】
これによって、揺動桿２３の方向切換時の衝撃を緩衝し、洗浄機具を保持する際の手振れを防止することができる。
【実施例４】
【００２３】
また、本発明に係る入浴用洗浄機具は、その正逆回転駆動部２に、図４に示すような歯車列を組み入れた構造を採用することができる。即ち、出力軸１１には駆動側歯車２７が採用され、この左右には、これに噛合った状態で、一対の従動側歯車２８が軸支される。この従動側歯車には、互いに半回転分、位相をずらせて、偏心ピン２８ａが設けられており、これらが、出力軸１１と同じ軸線で軸支されたカップラー６の軸に取り付けた揺動桿２３の左右に延びる摺動スリット２４ａ、２４ａ内に貫挿されている。
【００２４】
このような構成では、出力軸１１とカップラー６の軸とが同一軸線となるので、設計上の制約が少なくなるメリットがある。
【実施例５】
【００２５】
この実施例は、図６に示されるもので、図４に示す実施例の変形であり、偏心ピン２８ａの代わりに、三角むすび形のカム２８ｂを用いた事例である。ここでは、実施例２で示したと同様な、間欠駆動が実質的に実現できる。ここでは、カム片２８ｂの中心が歯車２８の回転軸に対して偏心している。
【実施例６】
【００２６】
この実施例は、図７に示されるものであり、図４に示す実施例の変形であり、駆動軸３ａに正逆回転駆動を伝達する部位、即ち、カップラー６の外周に、回転方向への慣性質量（ｗ）を保有する弾み車８が一体的に組み込まれている。また、正逆回転駆動部２の筐体には、前記慣性質量の両端に位置して、先述の実施例で示すような弾性手段７が装備されていて、カップラー６の軸の回動に際して、方向転換の部位における、その振動を緩和している。
【００２７】
なお、上述の実施例に係る入浴用洗浄機具では、洗浄機具本体１が、実質的にＬ字形に曲がった筒状であって、基端側に把持部１ｂが形成されている。これは、操作者本人が自ら背中などを洗浄する上で、洗浄部３ｂを背中に回す際に、有効である。
【００２８】
以上説明したように、本発明の入浴洗浄機具によれば、回転駆動部１ａに電動機などを用いることで、人力による負担がない状態で、肌の表面に摩擦傷が発生する畏れはなく、肌の洗浄を安全に実現できる。しかも、洗浄部３ｂが往復回転運動を行なうことにより、洗浄部３ｂでの洗剤の保持を持続できる。
【００２９】
また、図３や図６に示すように、簡単な構成を組み込むことにより、往復回転の過程で、間欠的に動作停止をさせることができ、これにより、人手による洗浄と同じような心地よい感触で、洗浄を実現できる。
【００３０】
更に、往復回転運動の場合に、図４や図７に示すように、回転方向の切換端で発生する振動で、操作者（本人または介護者）に手振れが生じるのを緩和する手段が講じられるので、洗浄機具の操作性を向上させることができる。
【００３１】
なお、本実施例の肌の洗浄機具は、上記の構成でも非常に高性能な装置であるが、最近実用化されつつあるマイクロモーターを用いて、全体の小型化を図ることで、より軽便なハンディタイプの入浴用洗浄機具を実現することができ、また、振動が少ないことで、女性や子供でも、操作が容易となるメリットがある。
【産業上の利用可能性】
【００３２】
本発明の入浴用洗浄機具は、洗浄機具本体に、速度調整手段を取り付けることで、例えば、スイッチ切換えにより、回転速度と回転方向が変えられることもできるので、肌の表面の洗浄のみならず、必要に応じて、先端の洗浄部を交換して、洗車用としても利用できる。
【図面の簡単な説明】
【００３３】
【図１】本発明に係る入浴用洗浄機具の概略図である。
【図２】本発明に係る入浴用洗浄機具の正逆回転駆動手段の第１実施例を示す説明のための正面図である。
【図３】同じく、正逆回転駆動手段の第２実施例を示す説明のための正面図である。
【図４】同じく、正逆回転駆動手段の第３実施例を示す説明のための正面図である。
【図５】同じく、正逆回転駆動手段の第４実施例を示す説明のための正面図である。
【図６】同じく、正逆回転駆動手段の第５実施例を示す説明のための正面図である。
【図７】同じく、正逆回転駆動手段の第６実施例を示す説明のための正面図である。
【符号の説明】
【００３４】
１      洗浄機具本体
１ａ    回転駆動部
１ｂ    把持部
２      正逆回転駆動変換手段
３      治具
３ａ    駆動軸
３ｂ    洗浄部
３ｃ    筐体
４      スイッチ
５      バッテリー
６      カップラー
７      弾性手段
８      弾み車
１１    出力軸
２１    クランクアーム
２１ａ  三角むすび形のカム片
２２    クランクピン
２３    揺動桿
２４    摺動スリット
２４ａ  長方形のカム溝
２５    慣性質量（重り）
２６    コネクチングロッド
２７    駆動側歯車
２８    従動側歯車
２８ａ  偏心ピン
２８ｂ  カム
【図１】
2005118168.tif 000003
【図２】
2005118168.tif 000004
【図３】
2005118168.tif 000005
【図４】
2005118168.tif 000006
【図５】
2005118168.tif 000007
【図６】
2005118168.tif 000008
【図７】
2005118168.tif 000009